(57)【要約】【課題】画面が引かれる現象を防止することができるデータ供給方法、液晶表示装置及びその駆動方法が提供される。【解決手段】画像データ電圧はインバージョンされる。このような場合、インバージョンされた画像データ電圧の間にチャージシェア電圧が存在することができる。本発明ではこのようなチャージシェア電圧としてブラックデータ電圧を用いる。すなわち、画像データ電圧とブラックデータ電圧が順次に供給される時画像データ電圧の間に存在するチャージシェア電圧がブラックデータ電圧に供給される。したがって本発明は簡単にチャージシェア電圧としてブラックデータ電圧を使うことで、画面が引かれる現象を抑制するだけでなく別途のブラックデータ電圧を生成しなくても良いので費用が節減されることができる。又は、ブラックデータ電圧が加えられても駆動周波数が従来に等しくなるので、費用が節減されることができる。【選択図】図３
2007041548.tif 000002
【特許請求の範囲】
【請求項１】
多数のピクセルを持つ液晶パネルと
画像データとブラックデータを選択的に印加するデータドライバと、
前記液晶パネル上に、前記画像データおよび前記ブラックデータの何れか一つをディスプレイする為に、スキャン信号を供給するゲートドライバと
を備え、
前記ブラックデータは前記画像データから発生されることを特徴とする液晶表示装置。
【請求項２】
前記多数のピクセルは多数のゲートラインと多数のデータラインを含むことを特徴とする請求項１に記載の液晶表示装置。
【請求項３】
前記ブラックデータは前記画像データから得られたチャージシェア（Ｃｈａｒｇｅ  ｓｈａｒｅ）電圧であることを特徴とする請求項１に記載の液晶表示装置。
【請求項４】
前記チャージシェア電圧は前記画像データの平均値であることを特徴とする請求項３に記載の液晶表示装置。
【請求項５】
前記データドライバは、
前記画像データを生成するデータ電圧生成部と、
前記画像データおよび前記ブラックデータのいずれか一つを選択する選択部と
を含むことを特徴とする請求項１に記載の液晶表示装置。
【請求項６】
前記画像データおよび前記ブラックデータのうちで前記選択された何れか一つはゲート制御信号とデータ制御信号を含む制御信号によって選択されることを特徴とする請求項５に記載の液晶表示装置。
【請求項７】
前記データ制御信号は前記データドライバの出力を制御する信号であることを特徴とする請求項６に記載の液晶表示装置。
【請求項８】
前記データ制御信号がローレベルである場合、前記画像データが選択されることを特徴とする請求項６に記載の液晶表示装置。
【請求項９】
前記データ制御信号がハイレベルである場合、前記ブラックデータが選択されることを特徴とする請求項６に記載の液晶表示装置。
【請求項１０】
前記ゲート制御信号によって、前記スキャン信号が、少なくとも、シフトされるか、あるいは、前記スキャン信号の幅が拡張されることを特徴とする請求項６に記載の液晶表示装置。
【請求項１１】
前記データ制御信号によって、前記画像データが、少なくとも、シフトされるか、あるいは、前記画像データの幅が拡張されることを特徴とする請求項６に記載の液晶表示装置。
【請求項１２】
前記選択部は、
データラインの間に配置された第１スイッチと、
前記データラインの上に配置された第２スイッチと
を含むことを特徴とする請求項５に記載の液晶表示装置。
【請求項１３】
前記第１及び第２スイッチは互いに反対に作動されることを特徴とする請求項１２に記載の液晶表示装置。
【請求項１４】
前記選択部は、前記第１スイッチが閉まって前記第２スイッチ等がオープンされる時、前記画像データを発生させるように作動して、前記第１スイッチがオープンされて前記第２スイッチが閉まる時、前記ブラックデータを発生させるように作動されることを特徴とする請求項１２に記載の液晶表示装置。
【請求項１５】
前記画像データと前記ブラックデータとは前記液晶パネルに順次に印加されることを特徴とする請求項１に記載の液晶表示装置。
【請求項１６】
前記ゲートラインは一フレーム間少なくとも一回以上活性化され、前記画像データと前記ブラックデータは前記活性化されたゲートライン上にディスプレイされることを特徴とする請求項２に記載の液晶表示装置。
【請求項１７】
前記画像データが前記ゲートラインのうちの一つの上にディスプレイされて所定時間が経過された後、前記ブラックデータは前記ゲートラインのうちの一つの上にディスプレイされることを特徴とする請求項２に記載の液晶表示装置。
【請求項１８】
前記所定時間は少なくとも一フレーム期間以下であることを特徴とする請求項１７に記載の液晶表示装置。
【請求項１９】
前記ブラックデータは垂直ブランク期間を含む一フレーム期間の間前記液晶パネル上にディスプレイされることを特徴とする請求項１に記載の液晶表示装置。
【請求項２０】
前記ブラックデータは垂直ブランク期間を除いた一フレーム期間の間前記液晶パネル上にディスプレイされることを特徴とする請求項１に記載の液晶表示装置。
【請求項２１】
前記スキャン信号は前記ブラックデータが印加される前に供給されることを特徴とする請求項１に記載の液晶表示装置。
【請求項２２】
前記画像データは毎フレームごとにインバージョン（Ｉｎｖｅｒｓｉｏｎ）されることを特徴とする請求項１に記載の液晶表示装置。
【請求項２３】
すべてのデータラインの平均電圧と一致する共通電圧を発生する共通電圧発生部をより含むことを特徴とする請求項１に記載の液晶表示装置。
【請求項２４】
ビデオデータに相応する画像データを生成する段階と、
前記画像データと前記画像データから発生されたブラックデータを選択的に印加する段階と
を含むことを特徴とするデータ供給方法。
【請求項２５】
前記ブラックデータは前記画像データから得られたチャージシェア電圧であることを特徴とする請求項２４に記載のデータ供給方法。
【請求項２６】
前記チャージシェア電圧は前記画像データの平均値であることを特徴とする請求項２５に記載のデータ供給方法。
【請求項２７】
前記ブラックデータは垂直ブランク期間を含む一フレーム期間の間前記液晶パネル上にディスプレイされることを特徴とする請求項２４に記載のデータ供給方法。
【請求項２８】
前記ブラックデータは垂直ブランク期間を除いた一フレーム期間の間前記液晶パネル上にディスプレイされることを特徴とする請求項２４に記載のデータ供給方法。
【請求項２９】
前記画像データは毎フレームごとにインバージョンされることを特徴とする請求項２４に記載のデータ供給方法。
【請求項３０】
前記画像データと前記画像データから発生されたブラックデータを選択的に印加する段階は、
制御信号を生成する段階と、
前記制御信号に応答して前記画像データと前記ブラックデータの中で何れか一つを選択的に印加する段階と
を含むことを特徴とする請求項２４に記載のデータ供給方法。
【請求項３１】
すべてのデータラインの平均電圧と一致する共通電圧を液晶パネルで供給する段階をさらに含むことを特徴とする請求項２４に記載のデータ供給方法。
【請求項３２】
共通電圧を液晶パネルに供給する段階と、
画像データとブラックデータを選択的に印加する段階と、
前記画像データと前記ブラックデータ中の何れか一つをディスプレイするためにスキャン信号を供給する段階と
を備え、
前記画像データの平均値は前記共通電圧と一致して、前記ブラックデータは前記画像データから得られたチャージシェア電圧であることを特徴とする液晶表示装置の駆動方法。
【請求項３３】
前記チャージシェア電圧は前記画像データの平均値であることを特徴とする請求項３２に記載の液晶表示装置の駆動方法。
【請求項３４】
前記画像データと前記ブラックデータの中で前記選択された何れか一つは制御信号によって選択されることを特徴とする請求項３２に記載の液晶表示装置の駆動方法。
【請求項３５】
前記ブラックデータは垂直ブランク期間を含む一フレーム期間の間前記液晶パネル上にディスプレイされることを特徴とする請求項３２に記載の液晶表示装置の駆動方法。
【請求項３６】
前記ブラックデータは垂直ブランク期間を除いた一フレーム期間の間前記液晶パネル上にディスプレイされることを特徴とする請求項３２に記載の液晶表示装置の駆動方法。
【請求項３７】
前記スキャン信号は前記ブラックデータを印加する前に供給されることを特徴とする請求項３２に記載の液晶表示装置の駆動方法。
【発明の詳細な説明】
【技術分野】
【０００１】
本発明は液晶表示装置に関し、特に、画面が引かれる現象を防止することができるデータ供給方法、液晶表示装置及びその駆動方法に関するものである。
【背景技術】
【０００２】
一般的に、液晶表示装置（ｌｉｑｕｉｄ  ｃｒｙｓｔａｌ  ｄｉｓｐｌａｙ  ｄｅｖｉｃｅ）は後面の光源で発生した光を前面にある液晶パネルの各画素が一種の光スイッチの役目をして選択的に透過させることによって画像を表示する装置である。すなわち、従来のＣＲＴディスプレイ装置において陰極線管（ＣＲＴ  ：  Ｃａｔｈｏｄｅ  Ｒａｙ  Ｔｕｂｅ）が電子線の強さを調節して輝度を制御するのに対して、液晶表示装置は光源で発生する光の強さを制御して画面の輝度を制御する。
【０００３】
一方、映像技術の発達によって、停止画像をディスプレイする技術だけではなく動画像をディスプレイする技術も具現されている。
【０００４】
しかし、液晶表示装置で動画像を具現することは容易ではない。すなわち、液晶表示装置では一フレームの周期より液晶の応答速度が遅いため液晶に充電された電圧（例えば、画像信号またはデータ電圧）を一フレーム間維持した後、次のフレームで新しい電圧を印加すれば、画面が引かれる現象（ｍｏｔｉｏｎ  ｂｌｕｒｒｉｎｇ）が発生する。結局、前のフレームのデータが次のフレームのデータに影響を与えるようになって画面が引かれる現象が発生する。
【０００５】
特に、このような画面が引かれる現象は停止映像よりは動画像から主に発生するようになる。
【０００６】
図１ａは一般的な陰極線管で時間による光の密度（Ｌｉｇｈｔ  ｉｎｔｅｎｓｉｔｙ）を説明するための図面で、図１ｂは一般的な液晶表示装置で時間による光の密度を説明するための図面である。
【０００７】
図１ａに図示したように、陰極線管はインパルス（ｉｍｐｕｌｓｅ）方式によって駆動されており、このような場合には各フレーム周期中で非常に短い区間にだけデータが表示されるので、このように非常に短い区間に表示されたデータは次のフレーム周期に影響を及ぼさない。
【０００８】
これに対して、図１ｂに図示されたように、液晶表示装置はホールド（ｈｏｌｄ）方式によって駆動されており、このような場合には各フレーム周期の間データがずっと維持されるので、前のフレームの間維持されたデータが次のフレーム周期に影響を及ぼすようになる。従って、このようなホールド方式によって駆動される液晶表示装置においては、画面が引かれる現象が発生してしまう。
【０００９】
このような画面が引かれる現象を防止するために一フレームの一部区間にだけ画像データが印加されて残り区間にはブラックデータが印加されるようにするブラックデータ挿入（ＢＤＩ：  Ｂｌａｃｋ  Ｄａｔａ  Ｉｎｓｅｒｔｉｏｎ）方式が提案された。ここで、前記ブラックデータはブラック階調（例えば、０階調）に相応するデータ電圧を意味する。したがってこのようなブラックデータによる各画素はブラック階調に表示されるので、人の目によって輝度（０階調以上）が認識されない。
【００１０】
図２は従来の液晶表示装置でブラックデータ挿入方式を図示した図面である。
図２に図示されたように、一フレーム周期の間に、画像データ電圧とブラックデータ電圧が相互に液晶パネルに印加されて表示されている。
【００１１】
例えば、４８８個のゲートラインが存在する場合、先ず第１〜第５ゲートラインが順次に活性化されながら各ゲートライン上の画素に画像データ電圧が印加されて表示され、再び、第１〜第５ゲートラインが順次に活性化されながら各ゲートライン上の画素にブラックデータ電圧が印加され表示される。
【００１２】
続いて、第６〜第１０ゲートラインが順次に活性化されながら、各ゲートライン上の画素に画像データ電圧が印加されて表示され、再び、第６〜第１０ゲートラインが順次に活性化されながら各ゲートライン上の画素にブラックデータ電圧が印加されて表示される。
【００１３】
このような動作が４８８個のゲートラインを活性化する一フレーム周期間、反復的に繰りかえされる。
【００１４】
勿論、次のフレーム周期間にも等しい過程が反復され繰りかえされる。
従来の液晶表示装置ではブラックデータがタイミングコントローラで生成されてデータドライバに提供されることがある。このような場合、タイミングコントローラでブラックデータを生成して、前記データドライバにより前記生成されたブラックデータを適切なタイミングで液晶パネルに供給するため、多様な回路が加えられなければならないので、回路が複雑になる問題がある。
【００１５】
一般的に液晶表示装置では一フレーム周期間各ゲートライン等が一回ずつ活性化されるようにするための周波数が要求される。
【発明の開示】
【発明が解決しようとする課題】
【００１６】
しかし、上述したように、ブラックデータを印加する為には一フレーム周期間各ゲートライン等を少なくても一回以上活性化させなければならないので、一般的な液晶表示装置でより高い周波数が要求されると、このような駆動周波数を生成するための回路が複雑になる。又、駆動周波数が増加することによって消費電流も増加する問題もある。
【００１７】
そして、従来のＢＤＩ方式はディムライン（ｄｉｍ  ｌｉｎｅ）問題を持っている。従来の液晶表示装置は、いずれのデータもデータラインに印加されず、かつ、いずれのスキャンパルスもゲートラインに印加されない垂直ブランク区間（ｖｅｒｔｉｃａｌ  ｂｌａｎｋ  ｐｅｒｉｏｄ）が存在する。垂直ブランク区間の間は、データ挿入（ｄａｔａ  ｉｎｓｅｒｔｉｏｎ）もないため、液晶パネル上にディスプレイされたデータは垂直ブランク区間の初期状態を維持するようになる。故に、画像データ領域とブラックデータ領域間の境界がより明らかになって、その境界でディムライン問題が引き起こされる。境界は毎フレームごとに等しい領域に集中されるのでディムライン（ｄｉｍ  ｌｉｎｅ）はより深刻になる。
【００１８】
したがって本発明は画面が引かれる現象を防止することができるデータ供給方法、液晶表示装置及びその駆動方法を提供することにその目的がある。
【００１９】
本発明の他の目的は既存の駆動周波数を維持しながらブラックデータ注入による回路の複雑さを解消することができるデータ供給方法、液晶表示装置及びその駆動方法を提供することである。
【課題を解決するための手段】
【００２０】
本発明の第１実施例によれば、液晶表示装置は、多数のピクセルを持つ液晶パネル；画像データとブラックデータを選択的に印加するデータドライバ；及び前記液晶パネル上に前記画像データと前記ブラックデータの中で何れか一つをディスプレイするためにスキャン信号を供給するゲートドライバを含んで、前記ブラックデータは前記画像データから発生される。
【００２１】
本発明の第２実施例によれば、データ供給方法は、ビデオデータに相応する画像データを生成する段階；及び前記画像データと前記画像データから発生されたブラックデータを選択的に印加する段階を含む。
【００２２】
本発明の第３実施例によれば、液晶表示装置の駆動方法は、共通電圧を液晶パネルに供給する段階；画像データとブラックデータを選択的に印加する段階；及び前記画像データと前記ブラックデータ中の何れか一つをディスプレイするためにスキャン信号を供給する段階を含んで、  前記画像データの平均値は前記共通電圧と一致して、前記ブラックデータは前記画像データから得られたチャージシェア（Ｃｈａｒｇｅ  ｓｈａｒｅ）電圧である。
【発明を実施するための最良の形態】
【００２３】
以下、添付された図面を参照して本発明の実施の形態を詳細に説明する。
先に、本発明の理解を助けるためにチャージシェア（Ｃｈａｒｇｅ  ｓｈａｒｅ）電圧を説明する。チャージシェア電圧はインバージョン（Ｉｎｖｅｒｓｉｏｎ）駆動方式で正極性（＋）データ電圧と負極性（−）データ電圧の間に存在する。このような場合、チャージシェア電圧は共通電圧と等しいか、あるいは、類似することがある。チャージシェア電圧は外部から生成されることもでき、又、隣接するデータ電圧間の平均値に生成されることもできる。
【００２４】
インバージョン駆動方式においては、正極性（＋）データ電圧が負極性（−）データ電圧に転移され、負極性（−）データ電圧が正極性（＋）データ電圧に転移される。このような動作が反復的に繰り返されて、インバージョン駆動方式が具現される。このような場合、正極性（＋）データ電圧と負極性（−）データ電圧の間には大きな転移の差が存在する。そのため、正極性（−）データ電圧から負極性（−）データ電圧に転移又は負極性（−）データ電圧から正極性（＋）データ電圧に転移することは難しい。なぜなら、所望のデータ電圧を各画素に速やかに充電することができないので、所望の輝度を得ることができず、画質が低下する。
【００２５】
このような問題を解決するために、図３に図示されたように、正極性（−）データ電圧と負極性（−）データ電圧の間にチャージシェア電圧を存在させるようにすることで、正極性（−）データ電圧から負極性（−）データ電圧に転移又は負極性（−）データ電圧から正極性（＋）データ電圧に転移することを速やかに行うことができる。
【００２６】
ここで、チャージシェア電圧が存在する区間をチャージシェア区間であると名付ける。チャージシェア区間はデータ制御信号中の一つであるＳＯＥ信号によって制御される。
【００２７】
チャージシェア区間でＳＯＥ信号はハイレベルになって、この時、チャージシェア電圧が前記液晶パネルに供給される。しかし、チャージシェア区間においてはゲートラインが活性化されなくなるので、チャージシェア電圧が液晶パネルの各画素に供給されない。ＳＯＥ信号がローレベルになる時、正極性（＋）データ電圧又は負極性（−）データ電圧のうちの少なくとも一つが液晶パネルに供給される。このような場合には液晶パネルの中の一つのゲートラインが活性化されるので、該当のゲートライン上の各画素に、正極性（＋）データ電圧又は負極性（−）データ電圧の中で何れか一つが供給されることができる。
【００２８】
例えば、正極性（＋）データ電圧が５Ｖで、チャージシェア電圧が２Ｖで、負極性（−）データ電圧が−３Ｖとする。
【００２９】
このような場合、従来のように正極性（＋）データ電圧と負極性（−）データ電圧の間にチャージシェア電圧が存在しない場合には正極性（＋）データ電圧から負極性（−）データ電圧に転移されるためには８Ｖの転移の差が存在するのでこのような８Ｖの転移の差で転移するためには時間が少しかかるようになる。
【００３０】
しかし、本実施の形態のように、正極性（＋）データ電圧と負極性（−）データ電圧の間にチャージシェア電圧が存在する場合には先に５Ｖから２Ｖに転移された後、２Ｖから−３Ｖに転移されるようになるので、それぞれ５Ｖの転移の差だけ存在するので、従来よりは速やかに正極性（＋）データ電圧から負極性（−）データ電圧に転移されることができる。
【００３１】
これによって、各画素に速やかに所望のデータ電圧が充電されるようになることによって所望の輝度を得ることができるので画質を向上させることができる。
【００３２】
なお、ここで、正極性（−）データ電圧と負極性（−）データ電圧は液晶パネルの各画素に供給されるのに対して、チャージシェア電圧は液晶パネルの各画素に供給されずに、液晶パネルの各データラインにのみ供給される。
【００３３】
以下、添付された図面を参照して本発明の実施の形態を詳細に説明する。
図４は本発明による液晶表示装置を図示したブロック図で、図５は図４のデータドライバを詳細に図示したブロック図で、図６は図５の選択部を詳細に図示した回路図である。
図４を参照すれば、本発明の液晶表示装置はタイミングコントローラ１０、ゲートドライバ２０、データドライバ３０及び液晶パネル４０を含んで構成される。
【００３４】
前記液晶パネル４０は横方向に配列された多数のゲートラインと縦方向に配列された多数のデータラインが交差されて、前記ゲートラインと前記データラインによってピクセルが定義される。前記ピクセルには前記ゲートラインと前記データラインとに連結された薄膜トランジスタと前記薄膜トランジスタに連結された画素電極が形成される。同時に、前記液晶パネル４０には共通電圧を供給するための共通電極が形成される。よって、前記共通電極に供給された共通電圧を基準に前記画素電極に供給されたデータ信号の間の電位差によって所定の映像をディスプレイすることができる。
【００３５】
前記タイミングコントローラ１０は前記ゲートドライバ２０を駆動するための第１制御信号（ＧＳＣ、ＧＳＰ、ＧＯＥ等）と前記データドライバ３０を駆動するための第２制御信号（ＳＳＰ、ＳＳＣ、ＳＯＥ、ＰＯＬ等）を生成する。前記タイミングコントローラ１０は前記第１制御信号をゲートドライバ２０に提供して、前記第２制御信号と外部から提供されたビデオ信号とをデータドライバ３０に提供する。
【００３６】
前記データドライバ３０は、図５に図示されたように、前記ビデオ信号を利用して液晶パネルに供給するための画像データ電圧を生成するデータ電圧生成部３２と、前記画像データ電圧とブラックデータ電圧の中で一つを選択して出力する選択部３４とを含んで構成される。
【００３７】
本発明では前記ブラックデータ電圧がチャージシェア電圧を意味する。すなわち、本発明では正極性画像データ電圧と負極性画像データ電圧の間に存在するチャージシェア電圧をブラックデータ電圧で使用する。これについては詳細に後述する。
【００３８】
前記データ電圧生成部３２は広く知られているように、シフトレジスタ、第１及び第２ラッチ回路、デジタルアナログ変換器を含むことができる。前記データ電圧生成部３２で生成された画像データ電圧は、前記タイミングコントローラ１０によって提供されたＰＯＬ信号に応答して、インバージョン（ｉｎｖｅｒｓｉｏｎ）されるようになる。インバージョンはドットインバージョン、ラインインバージョン、フレームインバージョン等どんなインバージョンでも構わない。
【００３９】
前記シフトレジスタから出力された信号によって前記タイミングコントローラ１０からシリアルに提供されたビデオ信号でＲ、Ｇ、Ｂデジタルデータ別に第１ラッチ回路によってラッチされて、第１ラッチ回路によるラッチが完了すれば、ラッチされたＲ、Ｇ、Ｂデータが同時に第２ラッチ回路によってラッチされる。
【００４０】
前記デジタルアナログ変換器は所定のガンマ値を利用して前記第２ラッチ回路によってラッチされたＲ、Ｇ、Ｂデータに相応する画像データ電圧を生成する。この時、各画像データ電圧は、前記タイミングコントローラ１０から提供されたＰＯＬ信号によって、正極性（＋）又は負極性（−）にインバージョンされる。
【００４１】
したがって、前記データ電圧生成部３２から正極性（＋）又は負極性（−）にインバージョンされた画像データ電圧が出力される。
【００４２】
前記選択部３４は、図６に図示されたように、前記データ電圧生成部３２から出力された各画像データ電圧に基づいて、ブラックデータ電圧を生成する。このために、各画像データ電圧が提供される各データラインの間にはスイッチ（３６ａ、３６ｂ、３６ｃ）が具備される。
【００４３】
前記選択部３４はデータラインの間に配置された第１スイッチ（３６ａ、３６ｂ、３６ｃ）とデータライン上に配置された第２スイッチ（３８ａ、３８ｂ、３８ｃ、３８ｄ、３８ｅ）を含む。前記第１及び第２スイッチ（３６ａ〜３６ｃ、３８ａ〜３８ｅ）をお互いに反対に作動する。すなわち、第１スイッチが閉（ショート）される場合、前記第２スイッチは開（オープン）されることができる。同じように、第１スイッチが開（オープン）される場合、前記第２スイッチ等は閉（ショート）されることができる。
【００４４】
前記第１及び第２スイッチ（３６ａ〜３６ｃ、３８ａ〜３８ｅ）は前記タイミングコントローラ１０から提供されたＳＯＥ信号によって制御されることができる。すなわち、前記ＳＯＥ信号がハイレベルである場合、前記第１スイッチ（３６ａ〜３６ｃ）は閉（ショート）されて前記第２スイッチ（３８ａ〜３８ｅ）は開（オープン）されることができるし、前記ＳＯＥ信号がローレベルである場合、前記第１スイッチ（３６ａ〜３６ｃ）はオープンされて前記第２スイッチ（３８ａ〜３８ｅ）は閉（ショート）されることができる。
【００４５】
したがって、前記選択部３４は前記ＳＯＥ信号の制御によって画像データ電圧又はブラックデータ電圧の中で一つを出力する。例えば、前記選択部３４は、前記ＳＯＥ信号がローレベルである場合には、前記第１スイッチ（３６ａ〜３６ｃ）が開（オープン）されて前記第２スイッチ（３８ａ〜３８ｅ）が閉（ショート）されるので、前記各ラインで画像データ電圧が出力されて、前記ＳＯＥ信号がハイレベルである場合には、前記第１スイッチ（３６ａ〜３６ｃ）は閉（ショート）されて前記第２スイッチ（３８ａ〜３８ｅ）は開（オープン）されるのでブラックデータ電圧が出力される。このような場合、前記ブラックデータ電圧は隣接する画像データ電圧間の平均値を持つチャージシェア電圧である。
【００４６】
故に前記ＳＯＥ信号がローレベルである場合には第１スイッチ（３６ａ〜３６ｃ）は開（オープン）されて前記第２スイッチ（３８ａ〜３８ｅ）は閉（ショート）されるので正極性（＋）、負極性（−）、正極性（＋）及び負極性（−）画像データ電圧が、前記選択部３４から出力される。前記ＳＯＥ信号がハイレベルである場合には、第１スイッチ３６ａ〜３６ｃが閉（ショート）されて前記第２スイッチ（３８ａ〜３８ｅ）が開（オープン）されるので、隣接する画素データ電圧間の平均値に相応するチャージシェア電圧が出力されることができる。
【００４７】
本発明ではこのようなチャージシェア電圧としてブラックデータ電圧を使用することができる。
【００４８】
図７に図示したように、前記ゲートドライバ２０は順次にスキャン信号を生成し出力して、前記データドライバ３０は画像データ電圧とブラックレベルデータ電圧を順次に出力する。図８に図示されたように、例えば、前記液晶パネル４０は第１〜第８ゲートライン（ＧＬ１〜ＧＬ８）を具備することができる。このような場合、第１スキャン信号は第１ゲートラインに供給されて、第２スキャン信号は第２〜第４ゲートラインを飛ばして第５ゲートラインに供給されることができる。引き継いて、第３スキャン信号は前記第２ゲートラインに供給されて、前記第４スキャン信号は第６ゲートラインに供給されることができる。続いて、第５及び第６スキャン信号は前記第３及び第７ゲートラインに供給されて、第７及び第８スキャン信号は第４及び第８ゲートラインに供給されることができる。
【００４９】
このように各スキャン信号が前記液晶パネル４０に供給される度ごとに、前記データドライバ３０は画像データ電圧又はブラックレベルデータ電圧の中で何れか一つを供給する。
【００５０】
例えば、前記第１スキャン信号が供給された前記第１ゲートライン上の画素には第１画像データ電圧が供給されて、前記第２スキャン信号が供給された前記第５ゲートライン上の画素には第１ブラックレベルデータ電圧が供給される。前記第３スキャン信号が供給された前記第２ゲートライン上の画素には第２画像データ電圧が供給されて、前記第４スキャン信号が供給された前記第６ゲートライン上の画素には第２ブラックレベルデータ電圧が供給される。前記第５スキャン信号が供給された前記第３ゲートライン上の画素には第３画像データ電圧が供給されて、前記第６スキャン信号が供給された前記第７ゲートライン上の画素には第３ブラックレベルデータ電圧が供給される。前記第７スキャン信号が供給された前記第４ゲートライン上の画素には第４画像データ電圧が供給されて、前記第８スキャン信号が供給された前記第８ゲートライン上の画素には第４ブラックレベルデータ電圧が供給される。
【００５１】
このようにして、第１〜第８ゲートラインに一回ずつのスキャン信号が供給された。しかし、まだ前記第５〜第８ゲートライン上の画素にはどんな画像データ電圧も供給されないので、まだ一フレームの映像が表示されなくなる。よって、一フレームの映像を完全に表示するためには、再び、第５、第１、第６、第２、第７、第３、第８、第４ゲートラインの順序でスキャン信号が供給されるようになって、これに従って前記第５、第１、第６、第２、第７、第３、第８、第４ゲートラインの画素に第５画像データ電圧、第５ブラックレベルデータ電圧、第６画像データ電圧、第６ブラックレベルデータ電圧、第７画像データ電圧、第７ブラックレベルデータ電圧、第８画像データ電圧及び第８ブラックレベルデータ電圧が供給される。
【００５２】
ここで、前記第１、第３、第５及び第７画像データ電圧はブラックデータ電圧より大きい正極性データ電圧で、前記第２、第４、第６及び第８画像データ電圧はブラックデータ電圧より小さな負極性データ電圧である。よって、データ電圧は各ゲートライン単位にインバージョンされることができる。勿論、データ電圧は毎フレーム単位にインバージョンされることができる。
【００５３】
結局、各ゲートラインは二度のスキャン信号が供給されて、一度は画像データ電圧を前記ゲートライン上の画素に供給するためのもので、他の一度はブラックデータ電圧を前記ゲートライン上の画素に供給するためのものである。
【００５４】
以上では説明の便宜のために前記液晶パネル４０に８個のゲートラインが具備されたことで記述しているものの、実際に前記液晶パネル４０には数百個から数千個のゲートラインが具備される。よって、画像データ電圧が供給された画素が位置されたゲートラインとブラックレベルデータ電圧が供給された画素が位置されたゲートライン間には数百個のゲートライン位の間隔を持つことができる。
【００５５】
図９に図示されたように、特定ゲートライン、例えば、第１ゲートラインＧＬ１に第１スキャン信号が供給されて、その結果前記第１ゲートラインＧＬ１上の画素に第１画像データ電圧が充電される。所定時間が経過された後、前記ゲートラインＧＬ１上に第１０スキャン信号が供給されて、その結果前記第１ゲートラインＧＬ１上の画素に第５ブラックレベルデータ電圧が充電されるようになる。従って一フレーム周期間各ゲートラインは少なくとも一度以上活性化された各ゲートライン上に画像データ電圧とブラックデータ電圧が表示される。
【００５６】
以上でよく調べて見たように、本発明は各ゲートラインごと画像データ電圧が表示された後所定時間が経過された後各ゲートラインごとにブラックデータ電圧が表示される。前記所定時間は少なくとも一フレーム周期よりは小さくなければならない。すなわち、一フレーム周期間に各ゲートラインに画像データ電圧とブラックデータ電圧が表示されるためには前記所定時間が一フレーム周期よりは小さいことが望ましい。
【００５７】
前記画像データ電圧と前記ブラックデータ電圧は前記液晶パネル４０上に相互にディスプレイされる。データ電圧は正極性画像データ電圧、ブラックデータ電圧、負極性画像データ電圧、ブラックデータ電圧の順序で前記液晶パネル４０に反復的に印加されるようになる。
【００５８】
本発明では図１０に図示されたように、垂直ブランク期間の間にも持続的にブラックレベルデータ電圧を各ゲートライン上の画素に供給してくれることで、ディムライン現象を防止することができる。
【００５９】
液晶パネル４０上には一フレーム周期の間、画像データ電圧とブラックデータ電圧が相互に表示されるようになる。正極性（＋）画像データ電圧、ブラックデータ電圧、負極性（−）画像データ電圧、ブラックデータ電圧の順序で反復され液晶パネル４０に提供される。
【００６０】
図１０で注目する点は、データドライバ３０から垂直ブランク区間の間にもブラックデータ電圧が液晶パネル４０に供給され表示されるということである。すなわち、垂直ブランク区間の間には画像データ電圧は液晶パネル４０に供給されない代わりにブラックデータ電圧は一定間隔で液晶パネル４０に供給される。
【００６１】
前記垂直ブランク期間の間ブラックレベルデータ電圧が液晶パネルの各ゲートラインの画素に供給されるようにするため、前記各ゲートライン上にスキャン信号が供給されることができる。例えば、垂直ブランク期間の間、第１０〜第３０ゲートラインにブラックレベルデータ電圧が供給される場合である場合、前記第１０〜第３０ゲートライン上に順次にスキャン信号が供給されて、前記ブラックレベルデータ電圧が前記第１０〜第３０ゲートライン上の画素に供給されるようになる。よって、前記垂直ブランク期間の間にも前記第１０〜第３０ゲートライン上の画素にブラックレベルデータ電圧が持続的に供給されるので、ディムライン現象が防止されることができる。
【００６２】
一方、本発明はブラックレベルデータ電圧以前の画像データ電圧を予め該当ゲートライン上の画素に充電させることで、フリーチャージング効果を利用して該当ゲートライン上の画素により速やかにブラックレベルデータ電圧に充電されるようにできる。
【００６３】
ブラックレベルデータ電圧が供給される時点にスキャン信号が供給されることができる。又は、スキャン信号が供給される時点にブラックレベルデータ電圧が供給されることができる。このために、所定のゲート制御信号によって前記スキャン信号がシフトされるとか幅が拡張（ｅｘｐａｎｄ）されることができる。同じように、所定のデータ制御信号によって前記画像データ電圧がシフトされるとか幅が拡張されることができる。
【００６４】
図１１に図示されたように、ブラックデータ電圧の時点より先立ってスキャン信号を印加することで、プレチャージングによって画素に前もって充電された画像データ電圧をより速やかにブラックデータ電圧に放電させることができる。
【００６５】
例えば、第１ゲートライン（ＧＬ１）上に第１スキャン信号が印加されて正極性（＋）画像データ電圧が前記第１ゲートライン（ＧＬ１）上の画素に充電される。
【００６６】
所定時間経過後、ブラックデータ電圧の供給時点に先立って第１スキャン信号が前記第１ゲートライン（ＧＬ１）に印加される。これによって、前記第１ゲートライン上に連結された薄膜トランジスタ（ＴＦＴ）がターン−オンになって、この時前記データドライバ３０で負極性（−）画素データ電圧が出力されるので、前記負極性（−）画素データによって以前に前記第１ゲートライン（ＧＬ１）上の画素に充電された正極性（＋）画像データ電圧が放電してから、前記データドライバ３０によってブラックデータ電圧が出力される場合、前記第１ゲートライン（ＧＬ１）上の画素には窮極的にブラックデータ電圧が充電される。
【００６７】
このように、ブラックデータ電圧の供給時点に先立ってスキャン信号を印加させて画像データ電圧でブラックデータ電圧により迅速に転移されることができる。
【００６８】
したがって本発明は画像データ電圧の間に存在するチャージシェア電圧をブラックデータ電圧で使用して画質を向上させるができる。
【００６９】
図１２は図４の液晶表示装置にデータをディスプレイする方法を説明する。まず、ＬＣＤが提供される（Ｓ  １１０）。タイミングコントローラで所定の制御信号が発生される（Ｓ  １２０）。所定の制御信号はスキャン信号を制御するための制１制御信号とデータを制御するための制２制御信号を含む。
【００７０】
所定の共通電圧発生部から共通電圧が発生される（Ｓ  １３０）。前記共通電圧は前記ＬＣＤの共通電極に供給される（Ｓ  １３３）。前記共通電圧は液晶を駆動するための基準電圧である。前記液晶は前記共通電圧とこれより高いデータ電圧又は低いデータ電圧の間の電位差によって駆動されるようになって所定の映像がディスプレイされる。
【００７１】
ゲートドライバで前記第１制御信号を利用してスキャン信号が生成される（Ｓ  １２３）。前記スキャン信号はＬＣＤに供給される（Ｓ  １２５）。より詳細に説明すると、前記スキャン信号は所定のゲートラインによる間隔を置いて順次に供給される。例えば、ＬＣＤに第１〜第８ゲートラインが具備される場合、スキャン信号は第１、第５、第２、第６、第３、第７、第４及び第８ゲートラインの順序で供給されることができる。
【００７２】
データドライバで前記第２制御信号を利用して所定のデータ電圧が生成される。前記データ電圧はガンマ電圧が反映されたアナログデータ電圧を意味する。本発明では前記アナログデータ電圧を画像データ電圧で名付けている。前記画像データ電圧は、前記共通電圧を基準として、それより高い場合、正極性（＋）データ電圧となり、それより低い場合、負極性（−）データ電圧になる。
【００７３】
前記データドライバで前記画像データ電圧及びブラックレベルデータ電圧が選択的に前記ＬＣＤに印加される（Ｓ  １２７）。前記ブラックデータ電圧は画像データ電圧の平均値を意味することで、チャージシェア電圧になることがある。前記チャージシェア電圧は殆ど前記共通電圧が近接するようになる。
【００７４】
以上でよく調べて見たように、本発明によれば、画像データ間に存在するチャージシェア電圧をブラックデータ電圧で使うことで、画面が引かれる現象を防止することだけではなく別途のブラックデータ電圧を生成しなくても良いので回路が単純になって費用が節減されることができる。
【００７５】
又は、本発明によれば、一フレーム周期の間各画像データ電圧の間に存在するチャージシェア電圧をそのままブラックデータ電圧で使うことで、一フレーム周期が変わらなくなって駆動周波数又は従来のようにそのまま使うことができるので駆動周波数増加による費用を節減することができる。
【図面の簡単な説明】
【００７６】
【図１ａ】一般的な陰極線管で時間による光の密度（Ｌｉｇｈｔ  ｉｎｔｅｎｓｉｔｙ）を説明するための説明図である。
【図１ｂ】一般的な液晶表示装置で時間による光の密度を説明するための説明図である。
【図２】従来の液晶表示装置でブラックデータ挿入方式を図示した説明図である。
【図３】本発明の液晶表示装置の液晶パネルを駆動するための電圧波形を図示した説明図である。
【図４】本発明による液晶表示装置を図示したブロック図である。
【図５】図４のデータドライバを詳細に図示したブロック図である。
【図６】図５の選択部を詳細に図示した回路図である。
【図７】本発明の液晶表示装置でデータ電圧波形を図示した説明図である。
【図８】図４の液晶パネル上の各ゲートラインにスキャン信号が供給される様子を図示した説明図である。
【図９】図７のデータ電圧によって特定画素に充電された電圧波形を図示した説明図である。
【図１０】本発明の液晶表示装置からフレーム単位でデータ電圧が供給される様子を図示した説明図である。
【図１１】本発明の液晶表示装置でフリーチャージングを発生させるための電圧波形を図示した説明図である。
【図１２】図４の液晶表示装置にデータをディスプレイする方法を説明した流れ図である。
【符号の説明】
【００７７】
１０  タイミングコントローラ、２０  ゲートドライバ、３０  データドライバ、３２  データ電圧生成部、３４  選択部、３６ａ，３６ｂ，３６ｃ  第１スイッチ、３８ａ，３８ｂ，３８ｃ，３８ｄ，３８ｅ  第２スイッチ、４０  液晶パネル。
【図１ａ】
2007041548.tif 000003
【図１ｂ】
2007041548.tif 000004
【図２】
2007041548.tif 000005
【図３】
2007041548.tif 000006
【図４】
2007041548.tif 000007
【図５】
2007041548.tif 000008
【図６】
2007041548.tif 000009
【図７】
2007041548.tif 000010
【図８】
2007041548.tif 000011
【図９】
2007041548.tif 000012
【図１０】
2007041548.tif 000013
【図１１】
2007041548.tif 000014
【図１２】
2007041548.tif 000015